【手続補正書】
【提出日】平成17年2月17日(2005.2.17)
【手続補正１】
【補正対象書類名】特許請求の範囲
【補正対象項目名】全文
【補正方法】変更
【補正の内容】
【特許請求の範囲】
【請求項１】
データを伝送するための方法であって、
マルチメディアデータのパケットにおけるデータグラムアドレスを使用して、接続指向型のパケット交換ネットワーク内の複数の論理リンクを介して上記パケットを非同期的に転送することを含み、
上記複数の論理リンクは、発信元ノードと宛先ノードとの間に伝送経路を形成し、
上記転送に先行して、上記ネットワーク内のノードは、上記複数の論理リンクに沿ったリソースの測定された使用量に基づいて上記転送を承認し、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、
上記パケットは、上記複数の論理リンクにおける複数のリンクに沿って転送されるときに不変のままであり、
上記データグラムアドレスは、データリンク層のアドレス及びネットワーク層のアドレスの両方として動作する方法。
【請求項２】
データを伝送するためのシステムであって、
複数の論理リンクを含む、接続指向型のパケット交換ネットワークと、
上記複数の論理リンクを非同期的に通過する複数のデータパケットとを備え、上記パケットの各々は、ヘッダフィールドと、マルチメディアデータを含むペイロードフィールドとを備え、
上記ヘッダフィールドは、複数の部分的なアドレスサブフィールドを含むデータグラムアドレスを含み、上記部分的なアドレスサブフィールドにおけるアドレス情報は、それ自体で、上記パケットを、上記複数の論理リンクのサブセットである複数のトップダウンの論理リンクを介するように方向付け、上記データグラムアドレスは、データリンク層のアドレス及びネットワーク層のアドレスの両方として動作し、
上記複数の論理リンクは、発信元ノードと宛先ノードとの間に伝送経路を形成し、
上記通過に先行して、上記ネットワーク内のノードは、上記複数の論理リンクに沿ったリソースの測定された使用量に基づいて上記通過を承認し、
上記パケットの各々は、上記複数の論理リンクにおける複数のリンクに沿って転送されるときに不変のままであるシステム。
【請求項３】
パケットのためのデータ構造であって、
複数の部分的なアドレスサブフィールドを含むデータグラムアドレスを含むヘッダフィールドを備え、
上記部分的なアドレスサブフィールドにおけるアドレス情報は、それ自体で、上記パケットを、接続指向型のパケット交換ネットワーク内の複数の論理リンクのサブセットを形成する複数のトップダウンの論理リンクを介するように方向付け、
上記データグラムアドレスは、データリンク層のアドレス及びネットワーク層のアドレスの両方として動作し、
上記データ構造は、
マルチメディアデータを含むペイロードフィールドを備え、
上記複数の論理リンクは、発信元ノードと宛先ノードとの間に伝送経路を形成し、
上記パケットは上記複数の論理リンクを介して非同期的に転送され、
上記転送に先行して、上記ネットワーク内のノードは、上記複数の論理リンクに沿ったリソースの測定された使用量に基づいて上記転送を承認し、
上記パケットは、上記複数の論理リンクにおける複数のリンクに沿って転送されるときに不変のままであるデータ構造。
【請求項４】
ネットワークを介してデータを伝送するための実行可能なプログラム命令を含むコンピュータが読み取り可能な媒体であって、上記実行可能なプログラム命令は、実行されるとき、上記ネットワークに、
マルチメディアデータのパケットにおけるデータグラムアドレスを使用して、接続指向型のパケット交換ネットワーク内の複数の論理リンクを介して上記パケットを非同期的に転送させ、
上記複数の論理リンクは、発信元ノードと宛先ノードとの間に伝送経路を形成し、
上記転送に先行して、上記ネットワーク内のノードは、上記複数の論理リンクに沿ったリソースの測定された使用量に基づいて上記転送を承認し、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、
上記パケットは、上記複数の論理リンクにおける複数のリンクに沿って転送されるときに不変のままであり、
上記データグラムアドレスは、データリンク層のアドレス及びネットワーク層のアドレスの両方として動作するコンピュータが読み取り可能な媒体。
【請求項５】
データを伝送するための方法であって、
マルチメディアデータのパケットにおけるデータグラムアドレスを使用して、接続指向型のパケット交換ネットワーク内の複数の論理リンクを介して上記パケットを転送することを含み、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、
上記パケットは、上記複数の論理リンクにおける複数のリンクに沿って転送されるときに不変のままであり、
上記データグラムアドレスは、データリンク層のアドレス及びネットワーク層のアドレスの両方として動作する方法。
【請求項６】
データを伝送するためのシステムであって、
複数の論理リンクを含む、接続指向型のパケット交換ネットワークと、
上記複数の論理リンクを通過する複数のデータパケットとを備え、上記パケットの各々は、ヘッダフィールドと、マルチメディアデータを含むペイロードフィールドとを備え、
上記ヘッダフィールドは、複数の部分的なアドレスサブフィールドを含むデータグラムアドレスを含み、上記部分的なアドレスサブフィールドにおけるアドレス情報は、それ自体で、上記パケットを、上記複数の論理リンクのサブセットである複数のトップダウンの論理リンクを介するように方向付け、上記データグラムアドレスは、データリンク層のアドレス及びネットワーク層のアドレスの両方として動作し、
上記パケットの各々は、上記複数の論理リンクにおける複数のリンクに沿って転送されるときに不変のままであるシステム。
【請求項７】
上記パケット交換ネットワークは、
上記ネットワークにノードが追加されるとき上記ノードを自動的に構成することと、
上記通過に先行して上記通過を承認することと、
上記パケットの転送に先行して支払者のアカウントを照合することと、
使用量データを測定し、収集しかつ記憶することと、
パケットのフローを調整することと、
フィルタ基準のセットに基づいて上記パケットをフィルタリングすることと
のうちの少なくとも１つを実行する請求項６記載のシステム。
【請求項８】
上記マルチメディアデータはユーザ端末装置上に表示され、
上記ユーザ端末装置は、メディアネットワークプロトコル及び非メディアネットワークプロトコルの両方のネットワークへのアクセスを提供する、セットトップボックス又はテレピュータのいずれかである請求項６記載のシステム。
【請求項９】
パケットのためのデータ構造であって、
複数の部分的なアドレスサブフィールドを含むデータグラムアドレスを含むヘッダフィールドを備え、
上記部分的なアドレスサブフィールドにおけるアドレス情報は、それ自体で、上記パケットを、接続指向型のパケット交換ネットワーク内の複数の論理リンクのサブセットを形成する複数のトップダウンの論理リンクを介するように方向付け、
上記データグラムアドレスは、データリンク層のアドレス及びネットワーク層のアドレスの両方として動作し
上記データ構造は、
マルチメディアデータを含むペイロードフィールドを備え、
上記パケットは、上記ネットワーク内の上記複数の論理リンクにおける複数のリンクに沿って転送されるときに不変のままであるデータ構造。
【請求項１０】
ネットワークを介してデータを伝送するための実行可能なプログラム命令を含むコンピュータが読み取り可能な媒体であって、上記実行可能なプログラム命令は、実行されるとき、上記ネットワークに、
マルチメディアデータのパケットにおけるデータグラムアドレスを使用して、接続指向型のパケット交換ネットワーク内の複数の論理リンクを介して上記パケットを転送させ、
上記データグラムアドレスの部分的なアドレスサブフィールドにおけるアドレス情報は、それ自体で、上記パケットを、上記複数の論理リンクのサブセットである複数のトップダウンの論理リンクを介するように方向付け、
上記パケットは、上記複数の論理リンクにおける複数のリンクに沿って転送されるときに不変のままであり、
上記データグラムアドレスは、データリンク層のアドレス及びネットワーク層のアドレスの両方として動作するコンピュータが読み取り可能な媒体。